(57)【特許請求の範囲】
【請求項１】
ハウジング（１２）と、
該ハウジング（１２）内に取り付けられた電気モータ（１４）と、
キーブランク（２０）の上にキーカット部分を形成し得るように前記電気モータ（１４）により作動される第一及び第二の回転可能な機械加工ヘッド（１６、１８）と、
該第一及び第二の回転可能な機械加工ヘッド（１６、１８）と係合する間、キーブランク（２０）を確実且つ取り外し可能に取り付けるキーブランククランプアセンブリ（２２）と、
取り付けられたキーブランク（２０）が前記第一及び第二の回転可能な機械加工ヘッド（１６、１８）と所望の状態で係合するように前記キーブランククランプアセンブリ（２２）を選択的に位置決めするキーブランク並進アセンブリ（２４）とを備えるキー複製機械（１０）において、
前記キーブランククランプアセンブリ（２２）に取り付けられたキーブランク（２０）に形成されたキーカット部分の深さを選択的に決定し得るように前記第一及び第二の回転可能な機械加工ヘッド（１６、１８）と作用的に協働するタンブラーディスクアセンブリ（５０）を備え、
前記タンブラーディスクアセンブリ（５０）が、全体として水平軸線（５４）の周りを回転可能な複数の隣接するディスク（５２）を備え、各ディスク（５２）の回転可能な方向が対応するキーカット部分の深さを決定し、
前記タンブラーディスクアセンブリ（５０）が、各ディスク（５２）から半径方向外方に伸びて、これにより、ユーザが前記水平軸線の周りで各ディスク（５２）を個々に回転可能に位置決めすることを許容するユーザ係合可能なハンドル（５６）を備えることを特徴とするキー複製機械。
【請求項２】
請求項１によるキー複製機械（１０）において、前記キーブランク並進アセンブリ（２４）が、前記キーカット部分の形成に伴う屑がその上に溜まって前記キーブランククランプアセンブリ（２２）の並進を邪魔しないように前記第一及び第二の機械加工ヘッド（１６、１８）の下方に配置されたガイドワイヤー（２８）を備えることを更に特徴とするキー複製機械。
【請求項３】
請求項１又は２によるキー複製機械（１０）において、前記キーブランク並進アセンブリ（２４）が右手及び左手利きのユーザの双方に合うように方向決めすることができることを更に特徴とするキー複製機械。
【発明の詳細な説明】
【０００１】
【発明の分野】
本発明は、全体としてキー複製機械に関する。
【０００２】
【発明の背景】
キー複製機械は周知である。これら機械は、所定のキーカットの組み合わせに従ってキーブランクにキーカットを切り又はその他の方法で形成することを許容する。伸縮式ピンと共に使用されるキーを形成することを含む、任意の型式のキーブランクに実質的に任意の型式のキーカットを形成するキー複製機械が公知である。
【０００３】
【発明の概要】
本発明は、特に、伸縮式ピンと共に使用される、キーを形成するのに有用な改良されたキー複製機械を提供することを目的とする。
【０００４】
このように、本発明の１つの好ましい実施の形態に従って、ハウジングと、該ハウジング内に取り付けられた電気モータと、キーブランク上にキーカット部分を形成し得るように電気モータにより作動される第一及び第二の回転可能な機械加工ヘッドと、第一及び第二の回転可能な機械加工ヘッドと係合する間、キーブランクを確実に且つ除去可能に取り付けるキーブランククランプアセンブリと、その上に取り付けられたキーブランクが第一及び第二の回転可能な機械加工ヘッドと所望の状態で係合するようにキーブランククランプアセンブリを選択的に位置決めするキーブランク並進アセンブリと、キーブランクのクランプ止めアセンブリに取り付けたキーブランクに形成されたキーカット部分の深さを選択的に決定し得るように第一及び第二の回転可能な機械加工ヘッドと作用的に協働するユーザ制御可能なタンブラーディスクアセンブリとを備えるキー複製機械が提供される。
【０００５】
本発明の１つの好ましい実施の形態によれば、ユーザ制御可能なタンブラーディスクアセンブリは、全体として水平な軸線の周りを回転可能な複数の隣接するディスクを備え、各ディスクの回転方向が対応するキーカット部分の深さを決定する。
【０００６】
更に、本発明の１つの好ましい実施の形態によれば、ユーザ制御可能なタンブラーディスクアセンブリは、各ディスクから半径方向外方に伸びて、これによりユーザが各ディスクを水平軸線の周りで個々に回転可能に位置決めすることを許容するユーザ係合可能なハンドルをも備えている。
【０００７】
更に、本発明の１つの好ましい実施の形態によれば、キーブランク並進アセンブリは、キーカット部分を形成することに伴う屑がその上に溜まって、キーブランククランプアセンブリの並進を邪魔しないように第一及び第二の機械加工ヘッドの下方に配置されたガイドワイヤーを備えている。好ましくは、キーブランク並進アセンブリは、右手及び左手利きのユーザの双方に合うように方向決めすることができるようにする。
【０００８】
本発明は、添付図面と共に、以下の詳細な説明からより完全に理解し且つ認識されよう。
【０００９】
【好ましい実施の形態の詳細な説明】
次に、本発明の１つの好ましい実施の形態に従った構造とされ且つ作用可能なキー複製機械１０を図示する図１乃至図３を参照する。
【００１０】
キー複製機械１０は、ハウジング１２と、該ハウジング１２内に取り付けられた電気モータ１４（図３）と、キーブランク２０の上にキーカット部分を形成し得るように電気モータ１４によりそれぞれ作動される第一及び第二の回転可能な機械加工ヘッド１６、１８（図２）とを備えることが好ましい。
【００１１】
第一及び第二の回転可能な機械加工ヘッド１６、１８と係合する間、キーブランク２０を確実に且つ除去可能に取り付けるためキーブランククランプアセンブリ２２が設けられている。その上に取り付けられたキーブランク２０が第一及び第二の回転可能な機械加工ヘッド１６、１８と望ましいように係合するようにキーブランククランプアセンブリ２２を選択的に位置決めすべくキーブランク並進アセンブリ２４が設けられている。キーブランク並進アセンブリ２４はロッド２６に沿って取り付けられることが好ましい。アセンブリ２４は、ロッド２６に沿って並進し且つこの移動中、ガイドワイヤー２８により更に案内される。キーカット部分を形成することに伴う屑がその上に溜まり且つキークランプ止めアセンブリ２２の並進を邪魔しないように第一及び第二の機械加工ヘッド１６、１８の下方にガイドワイヤー２８が配置されている。
【００１２】
モータ１４は、ベルト３０（図３）又はその他の任意の適当な連結機構により第一及び第二の回転可能な機械加工ヘッド１６、１８に作用可能に接続されている。ドリルビット３２（図２）が第一及び第二の回転可能な機械加工ヘッド１６、１８の各々に取り付けられている。好ましくは、例えば、曲げた金属で出来た遮蔽体３６はドリルビット３２により誤って負傷しないようユーザを保護することが好ましい。
【００１３】
キーブランククランプアセンブリ２２は、ノブ４０に接続されたクランプ止めバー３８を備えることが好ましい。アセンブリ２２に形成された溝４２（図４に最も良く図示）内にキーブランク２０を挿入する。ノブ４０を回すことにより、クランプ止めバー３８はキーブランク２０をアセンブリ２２の溝４２内にクランプ止めし、これにより、キーカット部分を形成し得るようにキーブランク２０を所定の位置に固定する。
【００１４】
キーブランク並進アセンブリ２４は、キーブランククランプアセンブリ２２を全体として矢印４６の方向に向けて選択的に動かし（図１、図３及び図４）、第一及び第二の回転可能な機械加工ヘッド１６、１８の何れかのドリルビット３２に対してキーブランク２０を接触させ、ドリルビット３２がキーブランク２０に適当なキーカット部分を形成するようにすることが好ましい。ばね負荷式であることが好ましい機構４４は右手及び左手利きのユーザの双方に合うように方向決めすることのできるハンドル４８を備えている。例えば、図２から、ハンドル４８は右方向に向けて伸び、このことは右手利きの人に適していることが分かる。ハンドル４８は容易に取り外し且つ左方向に向けて伸びるように再度取り付けることができ、このことは左手利きの人が使用するのに適している。
【００１５】
キーブランククランプアセンブリ２２に取り付けられたキーブランク２０に形成されるキーカット部分の深さを選択的に決定するためユーザ制御可能なタンブラーディスクアセンブリ５０が第一及び第二の回転可能な機械加工ヘッド１６、１８と作用可能に関係している。
【００１６】
本発明の１つの好ましい実施の形態に従って、ユーザ制御可能なタンブラーディスクアセンブリ５０は全体として水平軸線５４の周りを回転可能な複数の隣接するディスク５２を備え、各ディスク５２の回転方向が対応するキーカット部分の深さを決定する。好ましくは、ユーザ係合可能なハンドル５６は各ディスク５２から半径方向外方に伸びて、これにより、ユーザが水平軸線５４の周りで各ディスク５２を個々に回転可能に位置決めすることを許容するようにする。
【００１７】
図４にてより明確に理解し得るように、ディスク５２は、所望のキーカット部分の異なる深さに対応する（必ずしも等しい必要はない）異なる深さにて形成された複数の切欠き５８を有している。ピン６０がキーブランククランプアセンブリ２２から突き出し且つディスク５２に対して当接し得るようにされている。ピン６０がディスク５２に対して停止する前に、矢印４６の方向に動く距離は特別なディスク５２の回転可能な位置により決定される。このように、ユーザが一度び的確なディスク５２を水平軸線５４の周りで回転させて、所望のキーカット部分の組み合わせに従った正確な位置に動かしたならば、ピン６０は、ディスク５２に対して当接する前にある距離だけ全体として直線状に並進する。矢印４６の方向への並進量は所望のキーカット部分の深さである。このように、ディスク５２の各々は、その的確な位置に回転され、所望の複数のキーカット部分がキーブランク２２に容易に形成される。
【００１８】
本発明は特に図示し且つ上述したものに限定されるものではないことが当業者に理解されよう。本発明の範囲は、上述した特徴の組み合わせ及び補助的な組み合わせ並びに従来技術には存在しない、上記の説明を読むことにより当業者に案出されるであろうその改変例及びその変更例の双方を包含するものである。
【図面の簡単な説明】
【図１】  本発明の１つの好ましい実施の形態に従った構造とされ且つ作用可能なキー複製機械の簡略化した図解図である。
【図２】  図１のキー複製機械の正面図である。
【図３】  図２の線ＩＩＩ−ＩＩＩに沿った図１及び図２のキー複製機械の簡略化した断面図である。
【図４】  キー複製機械のユーザ制御可能なタンブラーディスクアセンブリの簡略化した拡大断面図である。
【図１】
0004377057.tif 000002
【図２】
0004377057.tif 000003
【図３】
0004377057.tif 000004
【図４】
0004377057.tif 000005